(57)【要約】【課題】プロジェクタを利用して、検査を受ける被検者の不安感を軽減し、かつ被検者と操作者とのコミュニケーションを取りやすくする。【解決手段】撮影部と、撮影部の少なくも一部を内蔵するとともに被検者６０が置かれる撮影空間を覆うガントリ１０と、ガントリ１０に対し被検者１０を移動させる移動装置２０と、プロジェクタ５０とを備え、ガントリ１０は被検者が挿入される撮影空間を画定する面１４を有し、この面１４の少なくとも一部がプロジェクタからの投影像を映し出すスクリーンを兼ねている。このスクリーン面にプロジェクタ５０から被検者へのメッセージなどの文字情報や広がり感を与える意匠画像などを投影する。【選択図】図１
2014195616.tif 000002
【特許請求の範囲】
【請求項１】
撮影部と、前記撮影部の少なくも一部を内蔵するとともに被検者が置かれる撮影空間を覆うガントリと、前記ガントリに対し前記被検者を移動させる移動装置と、プロジェクタと、当該プロジェクタからの光を所定の投影領域に導く導光路とを備え、前記ガントリは前記被検者が挿入される撮影空間を画定する面を有し、当該面の少なくとも一部が前記プロジェクタからの投影像を映し出すスクリーンを兼ねていることを特徴とする医療用撮影装置。
【請求項２】
請求項１に記載の医療用撮影装置であって、
前記プロジェクタは、前記移動装置に固定されていることを特徴とする医療用撮影装置。
【請求項３】
請求項２に記載の医療用撮影装置であって、
前記移動装置は、前記被検者を載せる天板部を有し、前記プロジェクタは、前記天板部の前記被検者が載る領域以外の領域に固定されていることを特徴とする医療用撮影装置。
【請求項４】
請求項１に記載の医療用撮影装置であって、
前記プロジェクタを複数備えることを特徴とする医療用撮影装置。
【請求項５】
請求項１ないし４のいずれか一項に記載の医療用撮影装置であって、
前記プロジェクタの動作を制御する制御部を備えることを特徴とする医療用撮影装置。
【請求項６】
請求項５に記載の医療用撮影装置であって、
前記制御部は、前記撮影部による撮影の進行に合わせて、前記プロジェクタの動作を制御することを特徴とする医療用撮影装置。
【請求項７】
請求項４に記載の医療用撮影装置であって、
前記プロジェクタの動作を制御する制御部を備え、前記制御部は、前記移動装置による前記被検者の移動に伴い、複数のプロジェクタを切り替え制御することを特徴とする医療用撮影装置。
【請求項８】
請求項１に記載の医療用撮影装置であって、
前記プロジェクタが映し出す投影像は、文字情報を含むことを特徴とする医療用撮影装置。
【請求項９】
請求項１に記載の医療用撮影装置であって、
前記プロジェクタが映し出す投影画像は、意匠的効果または被検者に対する閉塞感緩和効果を持つ図形または模様であることを特徴とする医療用撮影装置。
【請求項１０】
請求項１に記載の医療用撮影装置であって、
前記撮影部は、静磁場発生磁石と傾斜磁場発生コイルとを含む磁気共鳴撮影部であり、前記プロジェクタは、磁気遮蔽されていることを特徴とする医療用撮影装置。
【発明の詳細な説明】
【技術分野】
【０００１】
本発明は、ＭＲＩ、Ｘ線ＣＴ、ＰＥＴ等の医療用撮影装置に関し、プロジェクタの映像を利用し、被検者の安心感や撮影の利便性を高めた医療用撮影装置に関する。
【背景技術】
【０００２】
ＭＲＩ、Ｘ線ＣＴ、ＰＥＴ等の医療用撮影装置は、撮影を行う機構部分がガントリに覆われている。ガントリは、撮影空間をトンネル状の内部空間に有するものや撮影空間を挟んで上下に配置されたオープン型と呼ばれるものなどが一般的であり、被検者はベッドに載せられた状態でガントリの開口である撮影空間に搬入される。
【０００３】
また撮影の開始から終了までには、被検者は何度かベッドに載せられた状態で撮影空間内を移動させられる。例えば、ＭＲＩでは、検査部位を撮影空間内の最適な位置に配置するために広い領域を簡単に撮影した後、最適な位置に移動させられる。マルチステーション撮影など全身撮影の場合には、ステーションごとにベッドを移動し撮影を行う。
【０００４】
一般に検査を受ける被検者は不安を感じながらベッドに載せられており、その状態で撮影空間に挿入されるときに不安感が高まる。特に子供や閉所恐怖症の傾向がある被検者ではトンネル状の撮影空間への移動は恐怖感を伴う。
【０００５】
また撮影に際しては、検査の部位や目的により、息止めの指示や動作の指示を与えることがあるが、狭い空間におかれた被検者には聞こえにくい場合もある。Ｘ線ＣＴ装置などでは、ガントリ内部に指示内容を表示する液晶パネル等を配置することが可能であるが、撮影空間が強い磁場空間であるＭＲＩ装置では、液晶パネルのような電子機器をガントリの内部に設置することはできない。
【０００６】
一方、医療用画像装置において、検査の利便性を高めるために投影装置（プロジェクタ）を利用することが提案されている（特許文献１、特許文献２）。特許文献１には、ＭＲＩ検査を心電同期撮影で行う場合に必要な心電波形を、検査室外に置かれたプロジェクタを用いてガントリ正面に投影し、投影された心電波形を用いて検査を行う技術が記載されている。また特許文献２には、医療用装置を操作するための操作要素の画像をプロジェクタから投影し、投影された操作要素の画像を操作するオペレータの手や指の動きを検出することによって装置の操作を行えるようにした技術が開示されている。これら技術は、医療用画像装置を操作する側の利便性の向上に貢献するものであるが、上述した検査を受ける側の問題を解決するものではない。
【先行技術文献】
【特許文献】
【０００７】
【特許文献１】特開平１１−１９０６２号公報
【特許文献２】特開平１１−３１３８０１号公報
【発明の開示】
【発明が解決しようとする課題】
【０００８】
本発明は、プロジェクタを利用して、検査を受ける被検者の不安感を軽減し、かつ被検者と操作者とのコミュニケーションを取りやすくすることを課題とする。
【課題を解決するための手段】
【０００９】
上記課題を解決するため本発明は、被検者が置かれる内部空間にプロジェクタからの映像を映し出す構成とする。またプロジェクタからの映像をベッドの移動、すなわち被検者の位置や撮影の進行に関連付けたものとする。さらに複数のプロジェクタを用い、これらプロジェクタの切り替えをベッドの移動や撮影の進行に関連付けたものとする。
【発明の効果】
【００１０】
本発明によれば、被検者が撮影空間に挿入されるときから撮影が終了するまで、被検者の位置や撮影の進行に対応して、被検者が見ることが可能な撮影空間に、被検者に必要な情報や被検者が安心できる映像などを表示することができる。
【図面の簡単な説明】
【００１１】
【図１】本発明の第一実施形態のＭＲＩ装置の全体構成を示す図
【図２】第一実施形態の機能ブロック図
【図３】第一実施形態のベッド装置の詳細を示す図
【図４】（ａ）、（ｂ）は、第一実施形態のＭＲＩ装置におけるプロジェクタ配置例を示す図
【図５】第一実施形態の動作の手順を示す図
【図６】天板部の位置による投影領域の違いを示す図で、（ａ）は天板部が低い位置にある場合、（ｂ）は天板部が上昇した場合を示す
【図７】投影画像の一例を示す図
【図８】天板部の位置による投影領域の違いを示す図
【図９】投影画像の他の例を示す図
【図１０】図４とは別のプロジェクタの配置例を示す図
【図１１】本発明の第二実施形態のＭＲＩ装置の全体構成を示す図
【図１２】第二実施形態におけるプロジェクタの投影領域を示す図
【図１３】第二実施形態の動作の手順を示す図
【図１４】本発明の第三実施形態のＭＲＩ装置の全体構成を示す図
【発明を実施するための形態】
【００１２】
本実施形態の医療用撮影装置は、撮影部と、撮影部の少なくも一部を内蔵するとともに被検者が置かれる撮影空間を覆うガントリと、ガントリに対し被検者を移動させる移動装置と、プロジェクタと、当該プロジェクタからの光を所定の投影領域に導く導光路とを備え、ガントリは被検者が挿入される撮影空間を画定する面を有し、当該面の少なくとも一部がプロジェクタからの投影像を映し出すスクリーンを兼ねている。
【００１３】
また本実施形態の医療用撮影装置は、プロジェクタが移動装置に固定されている。例えば、移動装置は、被検者を載せる天板部を有し、プロジェクタは、天板部の被検者が載る領域以外の領域に固定されている。
【００１４】
また本実施形態の医療用撮影装置は、プロジェクタの動作を制御する制御部を備えている。制御部は、例えば、撮影部による撮影の進行に合わせて、プロジェクタの動作を制御する。
【００１５】
本実施形態において、プロジェクタが映し出す投影像は、文字情報を含む。プロジェクタが映し出す投影像は、また、撮影空間を画定する面に意匠的効果を与える画像や被検者に対する閉塞感緩和効果を持つ図形または模様である。
【００１６】
以下の実施形態では、医療用撮影装置として、ＭＲＩ装置を例に取り、説明する。
＜第一実施形態＞
以下、図１〜図４を参照して、本実施形態のＭＲＩ装置の構成を説明する。図１は、本実施形態の全体概要を示す図、図２は機能ブロック図、図３及び図４は、図１のＭＲＩ装置のベッド装置の詳細を示す図である。
【００１７】
図１に示すように、本実施形態のＭＲＩ装置１００は、トンネル状のガントリ１０とガントリ１０内に被検者６０を搬入・搬出するためのベッド装置２０とを備えており、ガントリ１０の内部に、静磁場磁石、傾斜磁場コイル、ＲＦ送信コイル等の撮影に必要な装置が収納されている。静磁場磁石は、超電導磁石または常電導磁石であり、トンネル内部の撮影空間に、この静磁場磁石によって形成される均一な磁場空間が形成されている。図示するトンネル型の装置の場合、磁場の方向は水平方向である。
【００１８】
傾斜磁場コイルおよびＲＦ送信コイルは、この順に、静磁場磁石側から撮影空間側に配置されている。ＲＦ送信コイルは、ＲＦ受信コイルを兼ねる場合もあるが、ＲＦ送信コイルとは別に被検者に接近してＲＦ受信コイルが設置される。図２の機能ブロック図に示すように、これら静磁場磁石３１、傾斜磁場コイル３２およびＲＦ送信コイル３３は、磁場を遮蔽された検査室２００内に置かれている。また傾斜磁場コイル３１およびＲＦ送信コイル３２は、検査室２００の外にある操作室に設置されたコンソール３００内に収納された制御手段にケーブルで接続されており、コンソール３００の操作により駆動され、撮影が行われる。
【００１９】
コンソール３００には、傾斜磁場コイルやＲＦコイルを所定の撮影方法に則って駆動するための撮影制御部３０１、ＲＦ受信コイルが検出したＮＭＲ信号を処理し、画像を再構成する信号処理部３０２、ベッド装置２０の移動を制御するベッド制御部３０３および投影制御部３０４、これら各部に指令を与えたり条件を入力するためのマウスやキーボードやトラックボールなどを備えた入力部３０５、および各部の動作を制御する主制御部３１０が備えられている。またコンソール３００には、磁気ディスク等の記憶装置が備えられるとともに、可搬の記憶装置（メモリ）３０６を接続することができる。主制御部３１０が備える撮影制御部３０１、信号処理部３０２の機能は、従来のＭＲＩ装置と同様であり説明は省略する。ベッド制御部３０３および投影制御部３０４の機能および動作については後述する。
【００２０】
ガントリ１０は、中央に開口が形成された前面パネル１１および裏面パネル１３と、これら前面パネル１１および裏面パネル１３をその外周において連結する側面パネル１２と、前面パネル１１および裏面パネル１３を開口部において連結する内面パネル１４とを備えている。内面パネル１４は、ほぼ円筒の内面の形状を有しており、円筒の内側が撮影空間である。内面パネル１４の底部には、後述するベッド装置２０の天板部２１を移動させるためのレール（不図示）が敷設されている。
【００２１】
前面パネル１１と裏面パネル１３とはほぼ同じ形状を有しているが、ベッド装置２０が連結される側が前面パネル１１であり、そのパネル面には装置の操作に必要な操作ボタンや表示装置などが固定されている。また前面パネル１１の開口より下側にベッド装置２０を連結するための連結部１５が備えられている。
【００２２】
本実施形態のＭＲＩ装置のガントリ１０の一つの特徴は、前面パネル１１の少なくとも一部と内面パネル１４の上半分を含む部分が、プロジェクタからの投影像を映し出すスクリーン機能を備えていることである。スクリーン機能は、パネル面の表面を梨地加工やマット処理することによってつや消し表面とすることにより付与できる。また所定の反射特性を持つスクリーン用塗料を塗布することによって付与することもできる。
【００２３】
ベッド装置２０は、主として、被検者を寝かせる天板部２１と、天板部２１を指示するベース部２４と、複数の車輪２２１を備えた走行部２２と、走行部２２に対しベース部２４を垂直方向に移動させるための昇降部２３とを備えている。走行部２２の一端には、ガントリ１０の前面パネル１１に設けられた連結部１５に連結するための連結部２５が備えられている。天板部２１が最も上昇した状態で、ベッド装置２０をガントリ１０に連結したときに、天板部２１の底面がガントリ１０の開口内のレールに係合する位置にあり、この状態で天板部２１を水平方向に移動させて、ガントリ１０内の撮影空間に移動する。ベッド装置２０のベース部２４には、図３に示すように、天板部２１の水平方向の移動を検知する検知手段（スイッチ）２６が備えられており、天板部２１がベース部２４に対し水平方向に移動したことを検知手段２６が検知すると、その情報はベッド制御部３０３に送られる。スイッチ２６としては光学的なもの、電気的なもの、機械的なものなど公知の検知手段を採用することができるが、ＭＲＩ装置の場合には光学的な検知手段が好適である。また天板部２１の移動は、エンコーダ等の位置検出手段により検出される。
【００２４】
ベッド装置２０の天板部２１には、さらに小型のプロジェクタ５０が組み込まれている。プロジェクタ５０が組み込まれた天板部２１の概略を図４（ａ）、（ｂ）に示す。図４（ａ）はプロジェクタの投影方向が垂直方向となるように設置されている場合、図４（ｂ）は投影方向が水平方向となるように設置され、ミラーを用いて投影方向を垂直方向に向ける場合である。その他、適宜光学系を配置することも可能である。図示するように、天板部２１の、ガントリ１０に接続される端部２１ａの下側には、プロジェクタ５０を収納する空間５１が形成されている。この空間は磁場を遮蔽するシールド部材で覆われており、プロジェクタ５０が天板部２１とともに撮影空間（静磁場空間）に挿入された場合にも磁場の影響を極力なくすようにしている。プロジェクタ５０のサイズは、特に限定されるものではないが、縦横のサイズが数十ｍｍ程度、厚みが２０ｍｍ程度である。天板部２１の被検者の頭部が置かれる部分と端部２１ａとの間には、プロジェクタ５０からの光を出射するための窓部２１ｂが形成されている。窓部２１ｂは、ガラスや透明樹脂などの光を透過する部材で覆われている。図４（ｂ）に示すように、ミラー５５を用いる場合には、この窓部２１ｂの下側の空間にはミラー５５が配置されている。なお窓部２１ｂ及び適宜配置されるミラー５５や光学系は、プロジェクタからの光を所定の投影領域に導く導光路を形成する。
【００２５】
ミラー５５は、ミラー面が所定の角度に固定されていてもよいし、プロジェクタ５５に対するミラー面の角度を変化できるように回転可能に支持されていてもよい。ミラー５５の角度は、ミラー中心とプロジェクタ５５の光出射口とを結ぶ水平な直線に対するミラー面の角度が、基準位置において１３５度であり、プロジェクタ５０から概ね水平方向に出射される投影光を屈折し、概ね垂直方向に向ける。なお、ミラーを回転可能に支持する場合には、駆動機構として小型のモーターなどを用いることができる。ミラー駆動機構は磁場遮蔽された空間内に収納するか、磁場空間に挿入されないベッド装置２０の要素例えば走行部２２に収納することも可能である。プロジェクタ５０の駆動およびミラー５５の回転駆動は、投影制御部３０４によって制御される。
【００２６】
次に以上のように構成されるＭＲＩ装置の動作を、プロジェクタ５０の動作を中心に、説明する。図５は動作の手順を示す図である。
【００２７】
まずベッド装置の昇降部２３を動作させて天板部２１を低くし、被検者が載りやすい状態にして、被検者を天板部２１に載せ、寝かせた状態で、ベッド装置２０をガントリ前面パネル１１に対向する位置に移動する（Ｓ５０１）。これと並行して、プロジェクタ５０をオンにする（Ｓ５０２）。これにより、図６（ａ）に示すように、プロジェクタ５０からの画像はガントリ前面パネル１１に映し出される。
【００２８】
プロジェクタ５０から投影される画像は、特に限定されるものではないが、被検者に安心する心理効果を与えるような画像が好ましい。例えば、被検者が子供の場合には、子供が好むキャラクタの動画や静止画でもよいし、花や植物などの画像でもよい。
【００２９】
この状態で、ベッド装置２０の昇降部２３により天板部２１を上昇させて、図６（ｂ）に示すように、ガントリの開口に天板部２１を位置付けると、プロジェクタ５０からの画像がガントリ１０の内面パネル１４まで及ぶようになる。この状態で、天板部２１のガントリ内への移動を開始し、天板部２１の移動をスイッチ２５が検知すると（Ｓ５０４）、プロジェクタ５０から投影される画像を切り替える（Ｓ５０５）。この画像は、ガントリ内面が広がって見えるような画像を採用することが好ましい。内面パネル１４に投影される画像の一例を図７に示す。図中、矢印は天板部２１の移動方向を示しており、左側がガントリの前面パネル側、右側がガントリの裏面パネル側である。
【００３０】
図７の上側の画像は、雲を点在させて空を摸した画像であり、雲が被検者に近い側では大きく、被検者から離れるに従って小さくなるように配置されている。このような雲の配置によってガントリ内面１４に実際の径よりも広がった感じや実際の長さより短い感じを与え、閉塞感を緩和することができる。図７の下側の画像は、太さが漸次変化する線を入り口側から並べた画像であり、線の太さと間隔を裏面側に向かって狭めることにより、ガントリを短く感じさせる効果があり、上側の画像と同様に閉塞感を緩和することができる。
【００３１】
これら画像のデータは、例えば、可搬のメモリ３０６に記録したものを被検者の性別や年齢に応じて適宜、選択し、投影制御部３０４を介してプロジェクタ５０に送ることができる。
【００３２】
天板部２１がガントリ１０内を移動し、撮影が開始するまでは、このような画像の表示を継続する。天板部２１の移動に伴い、図８に示すように、投影範囲も変化するが、図７に示すような画像が表示されることにより被検者に閉塞感を感じさせることなく、ガントリ内を移動させることができる。
【００３３】
天板部２１が所定の撮影位置に到達して停止し、予備計測や撮影が開始されると（Ｓ５０６）、撮影に必要な指示や案内を映し出すように、投影画像を変化させる（Ｓ５０７）。
【００３４】
ガントリ内面パネル１４に投影される指示や案内の画像例を図９に示す。図中、矢印は天板部２１の移動方向を示しており、左側がガントリの前面パネル側、右側がガントリの裏面パネル側である。図９の上側の画像は、息止め撮影の場合の指示の例である。その他、指示の例として検査部位の機能を撮影する場合の動作の指示などがある。このような指示を画像で与えることにより、聞こえにくいトンネル内の空間であっても適切な時に適切な指示を与えることができる。また聴力に障害のある障碍者や高齢者であっても指示を与えることができる。図９の下側の画像は、撮影の状況を知らせる案内であり、被検者に安心感を与える。マルチステーション撮影の場合には、現在撮影中のステーションを知らせる文字やマークなどを含んでいてもよい。
【００３５】
なお図９では文字情報として指示や案内を表示した例を示したが、所定の図形やマークなどを用いてもよい。このような画像情報も、前述のガントリ挿入前に前面パネル１１に映し出される画像と同様に、検査の種類や言語毎にメモリ３０６に格納しておくことができ、投影制御部３０４がメモリから読み出し、プロジェクタ５０に送ることにより、投影することができる。これら画像の表示は、撮影の進行に合わせて、適切なタイミングで切り替えられる。表示の切り替えは、コンソール３００に備えられた入力部３０５から操作者が任意のタイミングで行うようにしてもよいし、撮影制御部３０１が制御する撮影シーケンスのタイミング情報を利用して、自動的に切り換えるようにしてもよい。
【００３６】
撮影の間にガントリ１０からの天板部２１の出し入れがあった場合には、それに応じてプロジェクタ５０からの投影画像の内容を適宜調整するようにしてもよい。撮影が終了したならば、天板部２１をベッド装置２０に移動し、プロジェクタ５０からの投影を終了する（Ｓ５０８〜Ｓ５１０）。
【００３７】
なお図３（ｂ）に示すように、プロジェクタ５０がミラー５５を備えるものである場合には、ステップＳ５０５やＳ５０７において画像を切り替えるのに合わせて、あるいはこれらステップとは独立したステップとして、ミラーの角度を変化させて、投影方向を調整することも可能である。
【００３８】
以上、説明したように、本実施形態によれば、被検者が載せられる天板部２１にプロジェクタ５０を組み込むとともに、天板部２１の移動および／撮影の進行に伴い、ガントリ１０の前面パネルおよび内面パネルにプロジェクタ５０から投影される画像の内容を変化させるにより、検査に入る前および検査中の被検者の不安を極力低減することができるとともに、トンネル内部におかれた被検者と、画像によるコミュニケーションを取ることができ、検査の利便性を向上することができる。
【００３９】
また本実施形態によれば、被検者の性別、年齢、使用言語、障害の有無などに合わせて、適切な画像を選択して表示させることができる。
【００４０】
なお図５に示す動作の手順は、一例にすぎず、天板部２１に固定されたプロジェクタ５０によりガントリ１０の前面パネルおよび／または内面パネルに投影画像を表示するステップを含むものであれば、それ以外のいくつかのステップを省いたり、別のステップを追加することも可能であり、本実施形態に含まれる。例えば、図５に示すフローでは、天板部２１の移動や撮影の進行に伴い、画像の内容を変更する場合を説明したが、プロジェクタがミラーを備える場合には、画像の内容と画像の投影方向を適宜変更することや、画像は変化させずに投影位置のみを変化させることも本実施形態に含まれる。さらミラー角度や画像内容の変更は、天板部２１の移動のみに連動してもよし、撮影の進行のみに連動する工程とすることも可能である。
【００４１】
また上記実施形態では、天板部２１の被検者の頭部が載る部分の裏側にプロジェクタ５０を収納するシールド空間を設ける場合を説明したが、プロジェクタを設置する位置やプロジェクタの数は上記実施形態に限定されず、種々の変更が可能である。例えば、図１０に示すように、天板部２１とともに移動しないにガントリなどの固定部にプロジェクタを備えることも可能であり、この場合もプロジェクタに対しミラーを含む光学系５７を適切に配置することにより、ガントリ１０の内面パネル１４に投影画像を映し出すことができ、天板に設ける場合と同様の効果を得ることができる。
【００４２】
次に、プロジェクタの位置および数を変更した実施形態を説明する。
以下の実施形態の医療用撮影装置は、プロジェクタを複数備えることを特徴とする。またプロジェクタの動作を制御する制御部を備え、制御部は、移動装置による被検者の移動に伴い、複数のプロジェクタを切り替え制御する。
【００４３】
＜第二実施形態＞
本実施形態のＭＲＩ装置は、二つのプロジェクタを備え、これら二つのプロジェクタを切り替えて使用することが特徴である。図１１に、本実施形態のＭＲＩ装置の全体概要を示す。図１１において、図１と同じ要素は同一の符号で示し、その説明を省略する。また本実施形態のＭＲＩ装置の機能は、図２に示す第一実施形態のＭＲＩ装置の機能と、投影制御部３０４の機能を除き同様であるので、必要に応じて図２に示す機能ブロック図を援用して説明する。
【００４４】
図示するように、本実施形態のＭＲＩ装置もガントリ１０とベッド装置２０を備え、一つのプロジェクタ５０Ａは、第一実施形態のプロジェクタと同様にベッド装置２０の天板部２１に備えられており、同様の構造を有している。もう一つのプロジェクタ５０Ｂは、ガントリ１０の裏面パネル１３の近傍に備えられる。
【００４５】
これら２つのプロジェクタ５０Ａ、５０Ｂから画像が投影される領域を図１２に示す。図１２に示すように、プロジェクタ５０Ｂは、ガントリ内面１４の上側の広い領域に画像を投影する。プロジェクタ５０Ａは被検者の頭上の比較的狭い領域に画像を投影する。本実施形態では、両プロジェクタ５０Ａ、５０Ｂの投影領域の違いを利用して、これらプロジェクタから投影される画像の使い分けや状況に応じた使い分けを行う。
【００４６】
次に本実施形態のＭＲＩ装置の、プロジェクタ５０の駆動を中心とする動作の一例を、図１３のフローをもとに説明する。図５と同じ手順については同じ符号で示す。
【００４７】
まずベッド装置の昇降部２２を動作させて天板部２１を低くし、被検者が載りやすい状態にして、被検者を天板部２１に載せ、寝かせた状態で（Ｓ５０１）、ベッド装置２０をガントリ前面パネル１１に対向する位置に移動する。これと並行して、プロジェクタ５０Ａ及びプロジェクタ５０Ｂをオンにする（Ｓ５１２）。プロジェクタ５０Ａからは第一実施形態と同様にガントリ前面パネル１１に所定の画像が映し出され、プロジェクタ５０Ｂからの画像はガントリ内面パネル１４に映し出される。
プロジェクタ５０Ｂから投影される画像は、例えば、図７に示したような、被検者を安心させる画像や、撮影空間の広がりを感じさせたり長さを錯覚させたりする心理効果を与える画像とすることができる。このような画像により、ガントリ１０の内部は明るく照らし出され、前面側からガントリ内部を見る被検者に安心感を与え、閉塞感を取り除く心理的な効果を得ることができる。
【００４８】
ベッド装置２０がガントリ１０に連結されるまでは、プロジェクタ５０Ａ、５０Ｂによる投影を継続する。ベッド装置２０がガントリ１０に連結され、天板部２１が移動すると（Ｓ５０４）、プロジェクタ５０ＢをＯＦＦにし、プロジェクタ５０Ａのみから画像を投影する（Ｓ５１５）。この状態では、プロジェクタ５０Ａからの映像が被検者の頭上に表示されるので、プロジェクタ５０Ｂの投影はＯＦＦにしてもよい。プロジェクタ５０Ａから投影される画像は、図７に示すような、被検者に心理的な効果をもたらす画像でもよいし、例えば撮影の開始を案内する文字表示やマーク表示などでもよい。この状態で予備計測や撮影が開始されると（Ｓ５０６）、第一実施形態と同様に、撮影に必要な指示や案内を映し出すように、撮影の進行に合わせて投影画像を変化させる（Ｓ５０７）。
【００４９】
撮影終了後のステップは図５と同様である（Ｓ５０８〜Ｓ５１０）。
【００５０】
以上説明した動作は本実施形態のＭＲＩ装置の一例にすぎず、プロジェクタ５０Ａ、５０Ｂの使い分けは図１３のフローに限定されず、種々の方法を採り得る。例えば、プロジェクタ５０Ａは文字情報を投影するプロジェクタとして用い、プロジェクタ５０Ｂは模様やオブジェクトを投影するプロジェクタとして用い、両者を同時に用いるようにしてもよい。図１３のフローでは、天板部２１がガントリに入っていない撮影前の段階ではプロジェクタ５０Ｂから投影する場合を示したが、ミラーの設定によっては、撮影前はプロジェクタ５０Ａから投影し、天板部２１がガントリ内を進行するに従い、プロジェクタ５０Ａからプロジェクタ５０Ｂに切り替えるようにしてもよい。また少なくとも一方のプロジェクタのミラーに、第一実施形態と同様のミラー角度調整機能を付与し、プロジェクタの切り替えとミラーの調整をともに行うようにしてもよい。
【００５１】
本実施形態によれば、被検者とともに移動する天板部２１およびガントリ側に複数のプロジェクタを備えたことにより、プロジェクタからガントリ内面パネル１４に表示される画像を多様にすることができる。
【００５２】
＜第三実施形態＞
以上説明した各実施形態では、ベッド装置２０の天板部２１やガントリ１０などＭＲＩ装置側にプロジェクタを固定した実施形態を説明したが、ＭＲＩ装置に固定されたプロジェクタとは別にプロジェクタを設けることが特徴である。この追加のプロジェクタは、検査室内の所定の位置に設置したものでもよいし、ハンディタイプのものでもよいし、検査室外に置かれたものであってもよい。
【００５３】
図１４に、本実施形態のＭＲＩ装置の全体概要を示す。図１４において、図１及び図１１と同じ要素は同一の符号で示し、その説明を省略する。この実施形態でも、天板部２１とガントリ裏面に、それぞれプロジェクタ５０Ａ、５０Ｂが固定されていることは第二実施形態と同様であるが、この実施形態ではさらに室内の壁或いは任意の構造物に３番目のプロジェクタ５０Ｃが固定されている。
【００５４】
プロジェクタ５０Ｃは、他のプロジェクタ５０Ａ、５０Ｂの機能を補足するものであってもよいし、プロジェクタ５０Ａ、５０Ｂとは別の種類の画像を表示させるものであってもよい。例えば、プロジェクタ５０Ｃからの投影画像をスポットライトのように利用し、ガントリ前面パネル１１に設けられたスイッチ類に投影し、操作者が次に操作すべきスイッチやボタンを照らし出す。これにより操作者は、スポットライトに誘導されて、操作を行うことができる。操作すべきスイッチの順序は、撮影方法によって予め決めておいてもよいし、検査室の外にいる指導者や援助者が適宜決定し、検査室内の操作者を誘導するようにしてもよい。
【００５５】
なお図１４に示す実施形態では、ＭＲＩ装置に備えられた２つのプロジェクタとは別に検査室内にプロジェクタを設置する場合を説明したが、ＭＲＩ装置に備えられるプロジェクタは天板部２１側のプロジェクタ及びガントリ側のプロジェクタのいずれか一方のみであってもよい。例えば、プロジェクタ５０Ｃとプロジェクタ５０Ｂとを備える構成とし、前者をガントリ前面１１の投影用として用い、後者をガントリ内面１４の投影用として用いることも可能である。或いはプロジェクタ５０Ｃとプロジェクタ５０Ａとを備える構成としてもよい。
【００５６】
以上、本発明の各実施形態をＭＲＩ装置を例にして説明したが、本発明はＭＲＩ装置のほか、Ｘ線ＣＴ装置やＰＥＴ装置などガントリ内に被検者を誘導して検査する装置であればすべて適用することが可能である。また上記実施形態では、トンネル型のガントリを持つＭＲＩ装置について説明したが、例えば、撮影空間を挟んで上下に一対の磁石装置を配置したオープン型のＭＲＩ装置についても、同様に適用することができ、同様の効果を得ることができる。
【産業上の利用可能性】
【００５７】
被検者や検診を受ける者にフレンドリで意匠性に優れた医療用撮影装置が提供される。
【符号の説明】
【００５８】
１０・・・ガントリ、１１・・・前面パネル、１２・・・側面パネル、１３・・・裏面パネル、１４・・・内面パネル、２０・・・ベッド装置、２１・・・天板、２２・・・走行部、２３・・・昇降部、２４・・・ベース部、５０、５０Ａ、５０Ｂ、５０Ｃ・・・プロジェクタ、３０４・・・投影制御部。
【図１】
2014195616.tif 000003
【図２】
2014195616.tif 000004
【図３】
2014195616.tif 000005
【図４】
2014195616.tif 000006
【図５】
2014195616.tif 000007
【図６】
2014195616.tif 000008
【図７】
2014195616.tif 000009
【図８】
2014195616.tif 000010
【図９】
2014195616.tif 000011
【図１０】
2014195616.tif 000012
【図１１】
2014195616.tif 000013
【図１２】
2014195616.tif 000014
【図１３】
2014195616.tif 000015
【図１４】
2014195616.tif 000016